(57)【特許請求の範囲】
【請求項１】
川岸から水流側に向けて延出する水制を構築するためのコンクリートブロックであって、
上面（２０ａ）と下面（２０ｄ）とが略平行とされた所定厚さをもつ略馬蹄形の偏平状形態を有し上下方向に多段載置可能とされるとともにその平面方向の内側寄り部位に厚さ方向へ貫通する充填用空間（２２）を形成した本体部（２０）と、該本体部（２０）の後端部（２０ｅ）に連続してこれから後方へ延出する延出部（２１，２１）とを備えたことを特徴とするコンクリートブロック。
【請求項２】
上面（２０ａ）と下面（２０ｄ）とが略平行とされた所定厚さをもつ偏平状形態を有し上下方向に多段載置可能とされるとともにその平面方向の内側寄り部位に厚さ方向へ貫通する充填用空間（２２）を形成した本体部（２０）と、該本体部（２０）の後端部（２０ｅ）に連続してこれから後方へ延出する延出部（２１，２１）とを備えた複数個のコンクリートブロック（１）、（１），・・を、上記延出部（２１，２１）側を堤体（５０）の河川に臨む壁面（５１）に向けた状態でその厚さ方向に複数個多段層積し且つ上下方向に連続する上記各コンクリートブロック（１），（１），・・の各充填用空間（２２），（２２），・・内に適宜の充填物（９）を充填して構成されたことを特徴とするコンクリートブロック製水制。
【請求項３】
上面（２０ａ）と下面（２０ｄ）とが略平行とされた所定厚さをもつ偏平状形態を有し上下方向に多段載置可能とされるとともにその平面方向の内側寄り部位に厚さ方向へ貫通する充填用空間（２２）を形成した本体部（２０）と該本体部（２０）の後端部（２０ｅ）に連続してこれから後方へ延出する延出部（２１，２１）とを備えた複数個の第１のコンクリートブロック（１），（１），・・を上記延出部（２１，２１）側を堤体（５０）の河川に臨む壁面（５１）に向けた状態で上下方向に多段載置するとともに、
上記第１のコンクリートブロック（１）と略同等の厚さ寸法をもつ略矩形形態に形成された複数個の第２のコンクリートブロック（２），（２），・・を上記各第１のコンクリートブロック（１），（１），・・の後端部の幅方向両側部と上記壁面（５１）との間においてそれぞれ多段載置し、
さらに上記各コンクリートブロック（１），（１），・・の上下方向に連続する上記各充填用空間（２２），（２２），・・内、及び所定間隔をもって上記第１のコンクリートブロック（１）の幅方向に対向配置された上記各第２のコンクリートブロック（２），（２），・・間の充填用空間（２４）内にそれぞれ適宜の充填物（９）を充填して形成されたことを特徴とするコンクリートブロック製水制。
【発明の詳細な説明】
【０００１】
【発明の属する技術分野】
【０００２】
本願発明は、水制形成用のコンクリートブロック及びこのコンクリートブロックを使用して形成されるコンクリートブロック製の水制に関するものである。
【従来の技術】
【０００３】
従来より、河川においては、河岸の浸食あるいは護岸の破損を防止する、水際線に変化を与えて河岸の景観を改善する、さらに河岸における水中生物の生息環境を改善して河川生態系の保全育成を図る、等の観点から、河岸から水流側に向けて延出する構造物である水制を設けることが広く行われている。
【０００４】
即ち、かかる水制を河岸に設けることで、該水制が水流に対して粗度要素となって河岸近傍の水流の流速が減少し、また該水制が水流に対して障害物となることで水流の方向が変化し、これらの結果、上記目的が達成されるものである。
【０００５】
そして、かかる水制としては、従来より種々のものが提案されており、その代表的なものとしては、河岸から水流側に向かって岩石を蒲鉾状に積み上げてこれを河岸から水流側に向かって延設した石積水制とか、方格状のコンクリートブロックにコンクリートパイルを突出固定したものを河岸近傍に所定間隔で多数設置した杭出し水制、等がある。
【発明が解決しようとする課題】
【０００６】
ところが、これら従来の水制のうち、特に前者のものにおいては、現場作業が主であることから水制設置現場における施工性が低く、設置コストが高くつくという問題がある。また、後者のものにおいては、水制を相互に所定の距離をもって配置するものであることから設置作業における作業性が低く、且つ水制そのものの高さ調整が困難であるという問題がある。
【０００７】
そこで本願発明は、施工性が良好で設置コストが低く、しかも高さ調整及び長さ調整が容易であって設置現場の多様な状況への適応性に優れたコンクリートブロック製水制及びこれに使用するコンクリートブロックを提供せんとしてなされたものである。
【課題を解決するための手段】
【０００８】
本願発明ではかかる課題を解決するための具体的手段として次のような構成を採用している。
【０００９】
本願の第１の発明にかかるコンクリートブロックは、川岸から水流側に向けて延出する水制を構築するためのコンクリートブロックにおいて、その上面と下面とが略平行とされた所定厚さをもつ略馬蹄形の偏平状形態を有し上下方向に多段載置可能とされるとともにその平面方向の内側寄り部位に厚さ方向へ貫通する充填用空間を形成した本体部と、該本体部の後端部に連続してこれから後方へ延出する延出部とを備えたことを特徴としている。
【００１０】
本願の第２の発明にかかるコンクリートブロック製水制は、その上面と下面とが略平行とされた所定厚さをもつ偏平状形態を有し上下方向に多段載置可能とされるとともにその平面方向の内側寄り部位に厚さ方向へ貫通する充填用空間を形成した本体部と、該本体部の後端部に連続してこれから後方へ延出する延出部とを備えた複数個のコンクリートブロックを、上記延出部側を堤体の河川に臨む壁面に向けた状態でその厚さ方向に複数個多段層積し且つ上下方向に連続する上記各コンクリートブロックの各充填用空間内に適宜の充填物を充填して構成したことを特徴としている。
【００１１】
本願の第３の発明にかかるコンクリートブロック製水制は、その上面と下面とが略平行とされた所定厚さをもつ偏平状形態を有し上下方向に多段載置可能とされるとともにその平面方向の内側寄り部位に厚さ方向へ貫通する充填用空間を形成した本体部と該本体部の後端部に連続してこれから後方へ延出する延出部とを備えた複数個の第１のコンクリートブロックを上記延出部側を堤体の河川に臨む壁面に向けた状態で上下方向に多段載置するとともに、上記第１のコンクリートブロックと略同等の厚さ寸法をもつ略矩形形態に形成された複数個の第２のコンクリートブロックを上記各第１のコンクリートブロックの後端部の幅方向両側部と上記壁面との間においてそれぞれ多段載置し、さらに上記各コンクリートブロックの上下方向に連続する上記各充填用空間内、及び所定間隔をもって上記第１のコンクリートブロックの幅方向に対向配置された上記各第２のコンクリートブロック間の充填用空間内にそれぞれ適宜の充填物を充填して形成したことを特徴としている。
【発明の効果】
【００１２】
（ａ）  本願の第１の発明にかかるコンクリートブロックは、川岸から水流側に向けて延出する水制を構築するためのコンクリートブロックにおいて、その上面と下面とが略平行とされた所定厚さをもつ偏平状形態を有し上下方向に多段載置可能とされるとともにその平面方向の内側寄り部位に厚さ方向へ貫通する充填用空間を形成した本体部と、該本体部の後端部に連続してこれから後方へ延出する延出部とを備えている。
【００１３】
従って、この第１の発明にかかるコンクリートブロックによれば次のような効果が得られる。
【００１４】
（イ）コンクリートブロックを使用し、順次下段側に載置したコンクリートブロックの上側に上段側のコンクリートブロックを積み重ねて水制を形成する場合、各コンクリートブロックは水制全体に比して小型軽量であるため設置作業における取り扱いが容易でありそれだけ施工性が向上することになる。
【００１５】
（ロ）コンクリートブロックの設置時には、その後端部に設けられた上記延出部を堤体の河川に臨む壁面に対する位置決め部材として機能させることで該コンクリートブロックの設置作業性がさらに高まることになる。
【００１６】
（ハ）コンクリートブロックを複数個多段載置した後、これら相互間に跨がって上下方向に延びる上記充填用空間に適宜の充填物を充填することで該各コンクリートブロック相互間の水平方向位置ずれを防止することができ、水制の高水準の安定性能が確保され、延いてはその耐久性の向上にも寄与するものである。
【００１７】
（ニ）  上記コンクリートブロックが略馬蹄形の偏平状形態を有しているので、該コンクリートブロックによって構築される水制はその先端部分の形状が丸みをもち、全体として柔らかい感じを看者に与えることができ、例えば該コンクリートブロックを方格状の形態をもつコンクリートブロックで構築された水制に比して、景観性に優れるものである。
【００１８】
（ｂ）  本願の第２の発明にかかるコンクリートブロック製水制は、上面と下面とが略平行とされた所定厚さをもつ偏平状形態を有し上下方向に多段載置可能とされるとともにその平面方向の内側寄り部位に厚さ方向へ貫通する充填用空間を形成した本体部と該本体部の後端部に連続してこれから後方へ延出する延出部とを備えた複数個のコンクリートブロックを、上記延出部側を堤体の河川に臨む壁面に向けた状態でその厚さ方向に複数個多段層積し且つ上下方向に連続する上記各コンクリートブロックの各充填用空間内に適宜の充填物を充填して形成されている。
【００１９】
従って、この第２の発明にかかるコンクリートブロック製水制によれば、次のような効果が得られる。
【００２０】
（イ）下段側に載置したコンクリートブロックの上側に順次上段側のコンクリートブロックを積み重ねて水制を形成する場合、各コンクリートブロックは水制全体に比して小型軽量であるため設置作業における取り扱いが容易でありそれだけ施工性が向上することになる。
【００２１】
（ロ）コンクリートブロックの設置時には、その後端部に設けられた上記延出部を堤体の河川に臨む壁面に対する位置決め部材として機能させることで該コンクリートブロックの設置作業性がさらに高まることになる。
【００２２】
（ハ）コンクリートブロックを複数個多段載置した後、これら相互間に跨がって上下方向に延びる上記充填用空間に適宜の充填物を充填することで該各コンクリートブロック相互間の水平方向位置ずれを防止することができ、水制の高水準の安定性能が確保され、延いてはその耐久性の向上にも寄与するものである。
【００２３】
（ニ）多段載置するコンクリートブロックの段数を変えることで水制の高さを任意に且つ容易に変更し得ることから、種々の異なる河川状況にも容易に対応することができ、それだけ水制の適用性が向上するものである。
【００２４】
（ホ）載置されるコンクリートブロックの水平方向の向きを調整することで水制自体の延出方向を任意に変更し得ることから、種々の異なる河川状況にも容易に対応することができ、それだけ水制の適用性が向上するものである。
【００２５】
（ｃ）  本願の第３の発明にかかるコンクリートブロック製水制は、上面と下面とが略平行とされた所定厚さをもつ偏平状形態を有し上下方向に多段載置可能とされるとともにその平面方向の内側寄り部位に厚さ方向へ貫通する充填用空間を形成した本体部と該本体部の後端部に連続してこれから後方へ延出する延出部とを備えた複数個の第１のコンクリートブロックを上記延出部側を堤体の河川に臨む壁面に向けた状態で上下方向に多段載置するとともに、上記第１のコンクリートブロックと略同等の厚さ寸法をもつ略矩形形態に形成された複数個の第２のコンクリートブロックを上記各第１のコンクリートブロックの後端部の幅方向両側部と上記壁面との間においてそれぞれ多段載置し、さらに上記各コンクリートブロックの上下方向に連続する上記各充填用空間内、及び所定間隔をもって上記第１のコンクリートブロックの幅方向に対向配置された上記各第２のコンクリートブロック間の充填用空間内にそれぞれ適宜の充填物を充填して形成されている。
【００２６】
従って、この第３の発明にかかるコンクリートブロック製水制によれば次のような効果が得られる。
【００２７】
（イ）下段側に載置した第１のコンクリートブロック及び第２のコンクリートブロックの上側に順次上段側の第１のコンクリートブロック及び第２のコンクリートブロックを積み重ねて水制を形成する場合、各コンクリートブロックは水制全体に比して小型軽量であるため設置作業における取り扱いが容易でありそれだけ施工性が向上することになる。
【００２８】
（ロ）第２のコンクリートブロックの載置時には第１のコンクリートブロックの延出部を該第２のコンクリートブロックの位置決め部材として利用することも可能であり、それだけ該第２のコンクリートブロックの設置作業性がさらに高まることになる。
【００２９】
（ハ）第１のコンクリートブロック及び第２のコンクリートブロックを複数個多段載置した後、各第１のコンクリートブロック相互間に跨がって上下方向に延びる充填用空間内、及び所定間隔をもって対向する上記第２のコンクリートブロック相互間の充填用空間内にそれぞれ適宜の充填物を充填することで該第１及び第２の各コンクリートブロック相互間の水平方向位置ずれを防止することができ、水制の高水準の安定性能が確保され、延いてはその耐久性の向上にも寄与するものである。
【００３０】
（ニ）多段載置する第１及び第２のコンクリートブロックの段数を変えることで水制の高さを任意に且つ容易に変更し得ることから、種々の異なる河川状況にも容易に対応することができ、それだけ水制の適用性が向上するものである。
【００３１】
（ホ）載置される第１及び第２のコンクリートブロックの水平方向の向きを調整することで水制自体の延出方向を任意に変更し得ることから、種々の異なる河川状況にも容易に対応することができ、それだけ水制の適用性が向上するものである。
【００３２】
（へ）第１のコンクリートブロックの後端部と堤体の壁面との間に跨がって配置される第２のコンクリートブロックの設置個数を変えることで該堤体から上記第１のコンクリートブロックの先端部までの長さで規定される水制の長さを任意に且つ容易に変更し得ることから、種々の異なる河川状況にも容易に対応することができ、それだけ水制の適用性が向上するものである。
【発明の実施の形態】
【００３３】
以下、本願発明のコンクリートブロック及びコンクリートブロック製水制を好適な実施形態に基づいて具体的に説明する。
【００３４】
図１には、以下に述べる各実施形態の水制の形成に使用されるコンクリートブロックを示しており、符号１は基体ブロック、２は延設ブロック、３は天蓋ブロック、４は天蓋延設ブロックであり、これら各コンクリートブロックを適宜選択して使用することでそれぞれ各実施形態にかかる水制が形成されるものである。
【００３５】
各コンクリートブロックの構造説明
基体ブロック１
基体ブロック１は、請求項１及び請求項２における「コンクリートブロック」、請求項３における「第１のコンクリートブロック」にそれぞれ該当するものであって、図１〜図３に示すように、全体として略馬蹄形の偏平形態をもつ本体部２０と該本体部２０の後端部材２０ｅに連続してこれから後方へ延出する左右一対の延出部２１，２１とを備えている。上記本体部２０は、所定厚さ寸法（即ち、高さ寸法）をもち、その上面２０ａと下面２０ｄとは略平行とされている。そして、この上面２０ａの外周部を除くその内側は、所定深さに陥没した陥没部２０ｂとされている。また、上記下面２０ｄ側は、上記上面２０ａとは逆に、外周部を除いたその内側が所定高さに隆起した隆起部２０ｃとされている。さらに、この本体部２０の中央部分には、上記陥没部２０ｂから隆起部２０ｃに向かって貫通した略長円状の開口でなる充填用空間２２が形成されている。
【００３６】
また、この本体部２０の外周面、即ち、上記基体ブロック１の外周面１ａは、その側部は上記本体部２０の上面２０ａから下面２０ｄに向かってこれらと直交する如き鉛直面とされるが、該側部から先端部１ｂに向かうに従って次第に下降傾斜する傾斜面状に形成されている（図２及び図３参照）。尚、この基体ブロック１の先端部１ｂの傾斜角は、図３に示すように水制が設置される法覆壁５１（特許請求の範囲の「壁面」に該当する）の傾斜に略沿うように設定されている。また、この先端部１ｂの傾斜に対応して、上記充填用空間２２もこれと略平行となる如く傾斜形成されている。
【００３７】
さらに、上記延出部２１は、図３に示すように、水制形成用コンクリートブロックとして上記基体ブロック１のみを使用する場合には、その後端面２１ａを上記法覆壁５１に当接あるいは近接対向させることで該基体ブロック１の法覆壁５１に対する前後方向位置決め部材として機能する外に、図１に示すように、該基体ブロック１の後端側に次述の延設ブロック２を連設配置する場合には該基体ブロック１に対する延設ブロック２の前後左右両方向の位置決め部材としても機能するものである。従って、上記基体ブロック１の後端部、即ち、上記本体部２０の後端部２０ｅに連続してこれから後方へ延出する左右一対の延出部２１，２１は、上記本体部２０の後端部２０ｅの幅方向両端から所定寸法だけ幅方向内側へ偏った位置に形成され、該延出部２１の外側面と上記本体部２０の後端部２０ｅとでＬ形に凹入する隅角部２３を形成している。
【００３８】
このように構成された基体ブロック１は、図１〜図３に示すように、下段側の基体ブロック１の上記陥没部２０ｂに上段側の基体ブロック１の隆起部２０ｃを嵌合させた状態で多段載置される。そして、この基体ブロック１の多段載置状態においては、該各基体ブロック１，１，・・の各充填用空間２２，２２，・・は上下方向に連続して各基体ブロック１，１，・・に跨がって上下方向に延びる縦長の空間を形成する。
【００３９】
延設ブロック２
延設ブロック２は、請求項３における「第２のコンクリートブロック」に該当するものであって、図１に示すように、上記基体ブロック１と略同一の厚さ寸法と、所定の長さ寸法とをもつ矩形ブロック体で構成され、上記基体ブロック１の上記隅角部２３にその一端側を嵌合させることで該基体ブロック１の後方側に連設され、その外面２ａは上記基体ブロック１の外周面１ａと一体の壁面を構成する。尚、上記基体ブロック１の各延出部２１，２１の外側にそれぞれ上記延設ブロック２，２を設置した状態においては、これら所定間隔をもって対向する左右一対の延設ブロック２，２の内面２ｂ，２ｂと上記延出部２１，２１の後端面２１ａ，２１ａとの間に矩形の空間が形成されるが、この空間は上記基体ブロック１の充填用空間２２と同様に充填物の充填空間となるものであって、以下においてはこの空間を「充填用空間２４」という。
【００４０】
かかる構成の延設ブロック２は、上述のように上記基体ブロック１の後方側に連設されるとともに、該基体ブロック１と同様に、所定段数に多段載置可能とされる。このため、延設ブロック２にも、上記基体ブロック１と同様に、その上面２ｃ側には陥没部２ｅが、下面２ｄには隆起部２ｆがそれぞれ形成されている。
【００４１】
天蓋ブロック３
天蓋ブロック３は、上記基体ブロック１を多段載置した場合の最上段の基体ブロック１の上面２０ａを覆う必要がある場合に使用されるものであって、該基体ブロック１の平面形状に対応した略馬蹄形の平面形状を有するとともに、その表面形状はなだらかな曲面とされている。そして、この天蓋ブロック３の下面には、上記基体ブロック１側への載置状態を維持するために、該基体ブロック１の陥没部２０ｂの外周形状に沿う如く略馬蹄形に延びる突条３ａ，３ａが形成されている。また、天蓋ブロック３の後端面には、次述の天蓋延設ブロック４との連結用の突起３ｂが設けられている。
【００４２】
天蓋延設ブロック４
天蓋延設ブロック４は、上記延設ブロック２を多段載置した場合の最上段の延設ブロック２の上面２ｃを覆う必要がある場合に使用されるものであって、上記天蓋ブロック３の後方側にこれに連続して載置される。そして、この載置状態を維持するために、その下面の左右両側には、上記延設ブロック２の陥没部２ｅに嵌合する突条４ａ，４ａが形成されている。また、天蓋延設ブロック４の一方の端面には、上記天蓋ブロック３側の突起３ｂが係入する凹部４ｂが設けられ、他方の端面には他の天蓋延設ブロック４の凹部に係入する突起４ｃが設けられている。
【００４３】
水制の実施形態の説明
以下、上記各コンクリートブロック１〜４を適宜選択使用して構成される水制をその実施形態に基づいて具体的に説明する。
【００４４】
第１の実施形態
図４には、本願発明の第１の実施形態にかかる水制Ｚ１を示している。この水制Ｚ１は、上記各コンクリートブロック１〜４のうち、基体ブロック１のみを使用して形成されたものであって、堤体５０の河川に臨む法覆壁５１の前面側に該法覆壁５１から河川側に延出状態で設置されている。尚、図中、符号Ｌ１は平常時の水位線、Ｌ２は河床堆積物の表面に対応する河床堆積物線である。
【００４５】
この水制Ｚ１の施工方法は次の通りである。即ち、上記法覆壁５１の下端に位置する法留基礎５２の前面側に設けられた所定広さの水制用基礎５３上に水制Ｚ１を設置するものとし、まず最初に、最下段に位置する基体ブロック１を上記水制用基礎５３上に載置固定する。この場合、図３に示すように、基体ブロック１の延出部２１，２１の後端面２１ａを上記法覆壁５１に当接あるいは所定の間隔をもって近接対向させる。この最下段の基体ブロック１の位置決め且つ固定作業が完了すると、後は、所要の水制高さに応じて基体ブロック１を順次多段載置すれば良い。
【００４６】
各基体ブロック１，１，・・の多段載置作業の完了時点において、あるいは各段の載置作業の完了時点において、上記基体ブロック１の充填用空間２２内に充填物９として、例えばコンクリート、栗石、建設廃材等を適宜充填し、各基体ブロック１，１，・・相互間の接合強度の確保、延いては水制Ｚ１全体としての安定性能を確保する。尚、この実施形態においては、上記充填物９の充填は、最上段に位置する基体ブロック１の充填用空間２２の上端付近までとし、その上側には植土８を充填し、ここに必要に応じて花木の植栽を行うようにしている。
【００４７】
また、上記各基体ブロック１，１，・・の後端と上記法覆壁５１との間には、上記延出部２１，２１，・・の突出長さに応じた間隔をもち且つ上下方向に延びる空間が該各基体ブロック１，１，・・の左右両側にそれぞれ形成されるため、この空間には、図４に示すように、石積工１０を施して上記延出部２１を覆い隠す。
【００４８】
このように、この実施形態のものにおいては、水制用基礎５３上に基体ブロック１を順次多段載置することで所要高さの水制Ｚ１を容易に形成することができるものである。そして、この場合、水制高さを基体ブロック１の段数設定により容易に変更可能であり、また水制Ｚ１全体の重量からして軽量の基体ブロック１の載置作業により水制Ｚ１を形成し得ることから、水制設置作業の施工性が良好となるものである。
【００４９】
また、この実施形態においては、水制Ｚ１が上記法覆壁５１に直交する方向へ延出するようにその設置方向を設定した場合について説明しているが、本願発明はかかる構成に限定されるものではなく、該法覆壁５１に対する水制Ｚ１の延出方向は河川状況に応じて適宜設定し得るものである。従って、水制Ｚ１を法覆壁５１に対して直交する方向から河川上流側あるいは下流側へ傾斜させて設置した場合には、該水制Ｚ１の後端側の左右両側の空間のうちの反傾斜側に位置するものは、直交状態に設置した場合よりも、大きくなるが、かかる空間の拡大はここに上記石積工１０を施工することで景観上あるいは強度上も何ら支障を生じないものであり、それだけ水制Ｚ１の任意方向への設置が容易となるものである。
【００５０】
さらに、この石積工１０には、年月の経過とともに、草木が生えるが、この石積工１０部分に生えた草木と、上記水制Ｚ１の頂部に植栽された花木とにより、該水制Ｚ１の無機質感が緩和され、該水制Ｚ１が河川周辺の景観に融和し、良好な周辺環境が作り出されることになる。
【００５１】
また、この実施形態の如く、上記基体ブロック１を馬蹄形状としてこれにより構築される水制Ｚ１の先端部分の形状に丸みをもたせることで全体として柔らかい感じを看者に与えることができるようにしているので、例えば方格状の形態をもつ水制に比して、景観性に優れるものである。
【００５２】
第２の実施形態
図５には、本願発明の第２の実施形態にかかる水制Ｚ２を示している。この水制Ｚ２は、上記第１の実施形態にかかる水制Ｚ１がその頂部を植栽部分としていたのに対して、最上段に位置する基体ブロック１の上面側に上記天蓋ブロック３を載置してこれを覆い隠したものである。従って、かかる構成の水制Ｚ２は、越流タイプの水制として利用する場合に特に好適である。
【００５３】
第３の実施形態
図６には、本願発明の第３の実施形態にかかる水制Ｚ３を示している。この水制Ｚ３は、上記第１の実施形態にかかる水制Ｚ１と同様にその頂部を植栽部としたものであるが、特に水制の河川側への延出長さを長くする必要がある場合に好適なものであって、上記基体ブロック１に加えて、上記延設ブロック２を使用して形成されている。即ち、この水制Ｚ３は、多段載置される上記各基体ブロック１，１，・・の後端と上記堤体５０の法覆壁５１との間に、該基体ブロック１の左右両側に二列に並ぶように延設ブロック２を所定個数載置するとともに、これらを順次所定段数だけ多段載置して形成されている。尚、この場合、上記各基体ブロック１の充填用空間２２及び上記延設ブロック２の内側に形成される充填用空間２４にそれぞれ適宜の充填物９を充填することは勿論である。また、最後端の延設ブロック２と上記法覆壁５１との間の空間に石積工１０を設けることも勿論である。
【００５４】
このように、この実施形態の水制Ｚ３によれば、コンクリートブロックの載置段数の変更により水制高さを任意に且つ容易に変更し得ることに加えて、上記基体ブロック１と法覆壁５１との間に列設配置される延設ブロック２の個数を変更することで水制長さをも任意に且つ容易に変更し得るものであり、河川状況に応じた水制設計の自由度が大きく、それだけ各種河川に対する適用性が高いものである。
【００５５】
第４の実施形態
図７には、本願発明の第４の実施形態にかかる水制Ｚ４を示している。この水制Ｚ４は、上記第３の実施形態にかかる水制Ｚ３において、その頂部に、これを覆い隠すようにして上記天蓋ブロック３と所定数の天蓋延設ブロック４，４，・・とを載置したものであり、上記第２の実施形態にかかる水制Ｚ２と同様に、越流タイプの水制として特に好適なものである。
【００５６】
第５の実施形態
図８には、第５の実施形態にかかる水制Ｚ５に使用される各コンクリートブロック１〜４を示している。ここに示した各コンクリートブロック１〜４は、図１に示した各コンクリートブロック１〜４を基本とし、かかる基本構成をもつものにおいてこれらの表面に意匠性を付与したものの一例であって、ここでは上記各コンクリートブロック１〜４の表面（外部に露出する面）にそれぞれ自然石あるいは擬石１５を適宜配置したものを例として示している。
【００５７】
図９には、かかる各コンクリートブロック１〜４のうち、上記基体ブロック１と天蓋ブロック３とを使用した、上記第２の実施形態にかかる水制Ｚ２の変形例ともいうべき第５の実施形態にかかる水制Ｚ５を示している。この水制Ｚ５においては、水制Ｚ５の表面が自然石あるいは擬石１５に覆われているため、恰も石積水制の如き外観を呈し、河岸の景観に容易に融和し得るものである。
【００５８】
尚、かかるコンクリートブロック表面の意匠性向上手段としては、上記の如き自然石等の配置の外に、例えばコンクリートブロックの表面にハツリ模様を付ける等の手段が考えられる。
【図面の簡単な説明】
【図１】  本願発明にかかる水制形成用の各種コンクリートブロックを示す斜視図である。
【図２】  図１のII-II拡大断面図である。
【図３】  図１のIII-III拡大断面図である。
【図４】  本願発明の第１の実施形態にかかる水制を示す斜視図である。
【図５】  本願発明の第２の実施形態にかかる水制を示す斜視図である。
【図６】  本願発明の第３の実施形態にかかる水制を示す斜視図である。
【図７】  本願発明の第４の実施形態にかかる水制を示す斜視図である。
【図８】  本願発明の第５の実施形態にかかる水制の形成に使用されるコンクリートブロックを示す斜視図である。
【図９】  本願発明の第５の実施形態にかかる水制を示す斜視図である。
【符号の説明】
１は基体ブロック、２は延設ブロック、３は天蓋ブロック、４は天蓋延設ブロック、８は植土、９は充填物、１０は石積工、１５は自然石あるいは擬石、２０は本体部、２１は延出部、２２は充填用空間、２３は隅角部、５０は堤体、５１は法覆壁、５２は法留基礎、５３は水制用基礎、Ｌ１は水位線、Ｌ２は河床堆積物線、Ｚ１〜Ｚ５は水制である。
【図１】
0003803423.tif 000002
【図２】
0003803423.tif 000003
【図３】
0003803423.tif 000004
【図４】
0003803423.tif 000005
【図５】
0003803423.tif 000006
【図６】
0003803423.tif 000007
【図７】
0003803423.tif 000008
【図８】
0003803423.tif 000009
【図９】
0003803423.tif 000010